(57)【要約】【課題】従来の糠収容装置はユーザーが糠を取り出した後に、シャッターを閉め忘れると、糠が空気とともに糠収容装置内に撒き散らして収拾がつかない状態になる課題があった。【解決手段】空気搬送されてきた空気と糠の混合空気を取り込むための取り入れ口を糠収容室の後面壁の上方に設け、更に、糠を分離した後の空気の排気口を糠収容室の後面壁上方設け、糠収容室の前面下部には上下スライド自在な糠取り出し用のシャッターを設け、このシャッターの後面に、これを覆う上下方向に切り目を付けたゴム薄板または厚手布ののれんを設けたことを特徴とする精米機の糠収容装置。  更に、ゴム薄板または厚手布ののれんは、前のれん、後のれんの２枚重ねとし、上下方向に付けた切り目は、前のれんの切り目と後のれん切り目が重ならないように、交互にずらして切り目を付けたことを特徴とする精米機の糠収容装置である。【選択図】                図４
2005040780.tif 000002
【特許請求の範囲】
【請求項１】
精米機で発生する糠を貯める糠収容装置において、空気搬送されてきた空気と糠の混合空気を取り込むための取り入れ口を糠収容室の後面壁の上方に設け、更に、糠を分離した後の空気の排気口を糠収容室の後面壁上方設け、糠収容室の前面下部には上下スライド自在な糠取り出し用のシャッターを設け、このシャッターの後面に、これを覆う上下方向に切り目を付けたゴム薄板または厚手布ののれんを設けたことを特徴とする精米機の糠収容装置。
【請求項２】
ゴム薄板または厚手布ののれんは、前のれん、後のれんの２枚重ねとし、上下方向に付けた切り目は、前のれんの切り目と後のれん切り目が重ならないように、交互にずらして切り目を付けたことを特徴とする請求項１に記載の糠収容装置。
【発明の詳細な説明】
【発明の詳細な説明】
【技術分野】
【０００１】  本発明は、精米機で発生する糠を収容する精米機の糠収容装置に関するものである。
【背景技術】
【０００２】  従来、この種精米機の糠収容装置の糠の取り出し口は、単に上下スライド自在な糠取り出し用のシャッターを設けたものであった。
【発明が解決しようとする課題】
【０００３】  しかし、この糠取り出し用のシャッターは通常は手動でユーザーが開閉するようになっている。開閉を自動化することは技術的には可能であるが、糠の特性として糠油を多量に含み、糠油が酸化して自動開閉装置が動作不良になることが多く、従って、ユーザーが手動でこのシャッターを開閉し、糠を杓や熊手で取り出すようになっている。
そのために、ユーザーが糠を取り出した後に、シャッターを閉め忘れると、糠が空気とともに糠収容装置内に撒き散らして収拾がつかない状態になる課題があった。
【課題を解決するための手段】
【０００４】  この課題を解決するための本発明における技術的手段は次の通りである。即ち空気搬送されてきた空気と糠の混合空気を取り込むための取り入れ口を糠収容室の後面壁の上方に設け、更に、糠を分離した後の空気の排気口を糠収容室の後面壁上方設け、糠収容室の前面下部には上下スライド自在な糠取り出し用のシャッターを設け、このシャッターの後面に、これを覆う上下方向に切り目を付けたゴム薄板または厚手布ののれんを設けたことを特徴とする精米機の糠収容装置。
更に、ゴム薄板または厚手布ののれんは、前のれん、後のれんの２枚重ねとし、上下方向に付けた切り目は、前のれんの切り目と後のれん切り目が重ならないように、交互にずらして切り目を付けたことを特徴とする精米機の糠収容装置である。
【発明を実施するための最良の形態】
【０００５】  以下、本発明の実施例を図面１〜５に基づいて説明する。
図１は本精米機の糠収容装置の正面図である。図２は糠収容装置の前面扉を開いた内部を示す図である。図３は本発明実施例の糠収容装置の側面より見た側面内部図である。図４は本発明実施例の糠収容装置の前面扉を開いた内部を示す図である。図５は図４に示す内部ののれん部品の詳細図である。
図１〜３において、糠収容装置１の内部には糠収容室２が図のように設けられている。精米機本体（図示省略）より発生する空気と糠の混合空気Ａは空気搬送されて、糠収容室２の後面壁上方の混合空気取り込み口３より糠収容室２内に送り込まれる。送り込まれた混合空気Ａは内容積の大きい糠収容室２内で自然拡散し、重量の重い糠Ｂは自然落下して、糠収容室２内の底部に貯まる。自然分離された空気Ｃは糠収容室２の後面壁上方の排気口４より装置外に排出される。
糠収容室２の前部下方には上下スライド自在な糠取り出し用のシャッター５を設けている。尚、シャッター５の下方には糠を取り出して貯めるコンテナー６が移動自在に置いてある。また、糠収容室２はＬ字鋼などの支持フレーム７で支持されている。更に、図１、図２に示すように糠収容室２の前面には扉８が設けてあり、この扉８を開閉し、杓などを使って、糠Ｂを取り出し出来るようになっている。
図４は本発明の糠収容装置の糠収容室２を示している。本発明の糠収容室２の前部下方には上下スライド自在な糠取り出し用のシャッター５を設けているが、そのシャッター５の後面に、これを覆う上下方向に切り目を付けたゴム薄板または厚手布ののれん９を図３のＥ部詳細図、及び図４のＤ部詳細図のように取り付けている。尚、このゴム薄板は軟質の透明ビニール薄板などを用いてもよい。
こののれん９は図５に示すように、前のれん９−１と後のれん９−２より構成されている。前のれん、後のれんの２枚重ねとし、上下方向に付けた切り目は、前のれんの切り目と後のれん切り目が重ならないように、交互にずらして切り目を付けてあり、この２枚重ねののれん９をシャッター５の後面に取り付け板１０により図３のＥ部詳細シャッター開図、図４のＤ部詳細シャッター開図のように取り付けている。尚、１１はのぞき窓である。１２はシャッター５のスライド溝板である。１３は糠の滑り出しを助ける滑り台板である。
次に、本実施例の糠収容装置の作用と効果を説明する。
精米機の送風ファン（図示省略）より送風された空気と糠の混合空気Ａは糠収容室２の後面壁上方の混合空気取り込み口３より糠収容室２内に送り込まれる。送り込まれた混合空気Ａは内容積の大きい糠収容室２内で自然拡散し、重量の重い糠Ｂは自然落下して、糠収容室２内の底部に貯まる。自然分離された空気Ｃは糠収容室２の後面壁上方の排気口４より装置外に排出される。糠収容室２の前部下方には上下スライド自在な糠取り出し用のシャッター５を設けているが、そのシャッター５の後面に、これを覆う上下方向に切り目を付けたゴム薄板または厚手布ののれん９を図３、図４のように取り付けている。従って、図３、Ｅ部詳細シャッター開図のようにユーザーがシャッター５を閉め忘れても、噴出してくる糠と空気の混合空気Ａはゴム薄板または厚手布ののれん９に遮られ、減速し、糠Ｂは図３、Ｅ部詳細シャッター開図のようにコンテナー６内に落とし込まれる。
【発明の効果】
【０００６】    以上説明したように、本発明の精米機の糠収容装置はシャッターの後面に、これを覆う上下方向に切り目を付けたゴム薄板または厚手布ののれんを取り付けているので、ユーザーが糠収容室の糠取り出し用のシャッターを閉め忘れても、噴出してくる糠と空気の混合空気はゴム薄板または厚手布ののれん９に遮られ、糠の直接的な噴出しが抑制され、減速し、糠Ｂはコンテナー６内に落とし込まれる効果がある。更に、ゴム薄板または厚手布ののれんは、前のれん、後のれんの２枚重ねとし、上下方向に付けた切り目は、前のれんの切り目と後のれん切り目が重ならないように、交互にずらして切り目を付けているので、上記の効果が助長される。
【図面の簡単な説明】
【図１】精米機の糠収容装置の正面図である。
【図２】糠収容装置の前面扉を開いた内部を示す図である。
【図３】本発明実施例の糠収容装置の側面より見た側面内部図である。
【図４】本発明実施例の糠収容装置の前面扉を開いた内部を示す図である。
【図５】図４に示す内部ののれん部品の詳細図である。
【符号の説明】
１  糠収容装置
２  糠収容室
３  混合空気取り込み口
４  排気口
５  シャッター
６  コンテナー
７  支持フレーム
８  扉
９  ゴム薄板または厚手布ののれん
１０  取り付け板
１１  のぞき窓
１２  スライド溝板
１３  滑り台板
【図１】
2005040780.tif 000003
【図２】
2005040780.tif 000004
【図３】
2005040780.tif 000005
【図４】
2005040780.tif 000006
【図５】
2005040780.tif 000007